(57)【要約】【課題】電池の容量を大きくしながら、自立させて便利に使用する。【解決手段】電源ユニットは、箱形の外装ケース１と、充電できる電池２と、外装ケース１に設けた出力端子３と、電池２を充電する充電回路６とを備える。外装ケース１は、第１の表面プレート１１Ａと第２の表面プレート１１Ｂとを対向面に設けて全体を四角形の箱形とし、第１の表面プレート１１Ａと第２の表面プレート１１Ｂとの間隔を、表面プレート１１の横幅（Ｄ）及び高さ（ｈ）よりも狭くし、第１の表面プレート１１Ａと第２の表面プレート１１Ｂの周囲を、底プレート１２と両側の側面プレート１３と上面プレート１４とで囲んで内部に収納スペース１６を設けている。電源ユニットは、外装ケース１の底プレート１２の両側縁と表面プレート１１との境界に沿って外側に突出する突出リブ１５を設けて、突出リブ１５を設けた底プレート１２を底面として外装ケース１を自立させている。【選択図】図７
2013157092.tif 000002
【特許請求の範囲】
【請求項１】
箱形の外装ケース(1)と、前記外装ケース(1)に収納してなる充電できる電池(2)と、前記電池(2)の電力を外部に出力する前記外装ケース(1)に設けてなる出力端子(3)と、前記電池(2)を充電する充電回路(6)とを備えてなる電源ユニットであって、
前記外装ケース(1)は、外形を同じ四角形とする第１の表面プレート(11A)と第２の表面プレート(11B)とを対向面に設けて全体を四角形の箱形としており、
かつ、第１の表面プレート(11A)と第２の表面プレート(11B)との間隔を、各々の表面プレート(11)の横幅（Ｄ）及び高さ（ｈ）よりも狭くしており、
なおかつ、四角形である第１の表面プレート(11A)と第２の表面プレート(11B)の周囲を、底プレート(12)と、両側の側面プレート(13)と、上面プレート(14)とで囲んで内部に閉塞された収納スペース(16)を設けており、
さらに、前記外装ケース(1)は、底プレート(12)の両側縁と表面プレート(11)との境界に沿って表面プレート(11)の表面から外側に突出する突出リブ(15)を設けており、
両側縁に突出リブ(15)を設けてなる底プレート(12)を底面として、外装ケース(1)を自立できるようにしてなる電源ユニット。
【請求項２】
前記突出リブ(15)がエラストマーである請求項１に記載される電源ユニット。
【請求項３】
前記底プレート(12)の両側縁に加えて、前記側面プレート(13)の両側縁にも突出リブ(15)を設けており、前記表面プレート(11)と上面プレート(14)の表面であって、突出リブ(15)の内側に表面シート(9)を接着してなる請求項１又は２に記載される電源ユニット。
【請求項４】
前記底プレート(12)の両側縁に設けてなる突出リブ(15)が、底プレート(12)の底面から下方に突出してなる請求項１ないし３のいずれかに記載される電源ユニット。
【請求項５】
前記側面プレート(13)が下方に向かって横幅（Ｗ）を広くするテーパー状で、前記外装ケース(1)が下方に向かって厚くなる箱形である請求項１ないし４のいずれかに記載される電源ユニット。
【請求項６】
前記上面プレート(14)が湾曲面(14A)である請求項１ないし５のいずれかに記載される電源ユニット。
【請求項７】
前記電池(2)が外装ケース(1)の下部に収納されて、外装ケース(1)の上部に回路基板(5)を収納してなる請求項１ないし６のいずれかに記載される電源ユニット。
【請求項８】
前記外装ケース(1)の表面プレート(11)と底プレート(12)と側面プレート(13)と上面プレート(14)とからなるケース本体(10)が第１のプラスチックで成形されて、前記突出リブ(15)が第１のプラスチックと異なる第２のプラスチックで成形され、
さらに前記表面プレート(11)の表面には、第１のプラスチックと第２のプラスチックを成形するためのピンゲート(17)を設けており、
前記表面プレート(11)の表面に表面シート(9)が付着され、
表面シート(9)がピンゲート跡の表面を被覆してなる請求項３に記載される電源ユニット。
【発明の詳細な説明】
【技術分野】
【０００１】
本発明は、充電できる電池を内蔵している電源ユニットに関し、とくに、ＡＣアダプタに代わって、ラップトップ型のマイクロコンピュータに電力を供給するのに最適な電源ユニットに関する。
【背景技術】
【０００２】
ラップトップ型のマイクロコンピュータは、充電できる電池を電源として内蔵している。このマイクロコンピュータは、内蔵電池を完全に放電する状態では、ＡＣアダプタを接続して使用する必要がある。ＡＣアダプタを使用することなく、マイクロコンピュータの電池による使用時間を延長するために、マイクロコンピュータに接続して外部から電力を供給する電池を内蔵する電源ユニットが開発されている。（特許文献１参照）
【先行技術文献】
【特許文献】
【０００３】
【特許文献１】特開２００１−１１９８６１号公報
【発明の概要】
【発明が解決しようとする課題】
【０００４】
特許文献１の電源ユニットは、図１に示すように、外装ケース９１をマイクロコンピュータ９２と同じ外形として、マイクロコンピュータの下に敷いて使用される。すなわち、電源ユニット９０の上にマイクロコンピュータ９２を載せて、電源ユニット９０の内蔵電池からマイクロコンピュータ９２に電力を供給する。この電源ユニットは、マイクロコンピュータを上に載せて使用するので、場所をとらずに使用できる。しかしながら、マイクロコンピュータを上に載せて使用するので、マイクロコンピュータのキーボードの位置が高くなって、キーボードの操作が不自然になる弊害がある。とくに、マイクロコンピュータの使用時間を長くできるように電池の容量を大きくすると、キーボードの位置がより高くなってキーボードの操作をより不便にする。
【０００５】
本発明者は、特許文献１の欠点を解消するために、外装ケースを薄い箱形として、これを垂直に立てて使用する電源ユニットを開発した。この電源ユニットは、マイクロコンピュータのキーボードの位置を高くすることなく、電池の容量を大きくして、邪魔にならないように使用できる。ただ、外装ケースを薄い箱形とするので、安定して机などの上にセットして使用するので難しい欠点がある。この電源ユニットは、外装ケースを厚くすることで、安定にセットできるが、厚くなるほど嵩張るので、使用する状態において、また、持ち運びする状態で不便になる弊害が発生する。
【０００６】
本発明は、さらに以上の欠点を解消することを目的として開発されたもので、本発明の重要な目的は、接続するマイクロコンピュータなどの電気機器の使用位置を変化させることなく、内蔵する電池の容量を大きくして接続する電気機器の電池による使用時間を長くしても邪魔にならならない状態で便利に使用でき、しかも安定して垂直姿勢に立てて使用できる電源ユニットを提供することにある。
【課題を解決するための手段及び効果】
【０００７】
本発明の電源ユニットは、箱形の外装ケース１と、この外装ケース１に収納してなる充電できる電池２と、この電池２の電力を外部に出力する、外装ケース１に設けてなる出力端子３と、電池２を充電する充電回路６とを備えている。外装ケース１は、外形を同じ四角形とする第１の表面プレート１１Ａと第２の表面プレート１１Ｂとを対向面に設けて全体を四角形の箱形としている。さらに、外装ケース１は、第１の表面プレート１１Ａと第２の表面プレート１１Ｂとの間隔を、各々の表面プレート１１の横幅（Ｄ）及び高さ（ｈ）よりも狭くしており、かつ、四角形である第１の表面プレート１１Ａと第２の表面プレート１１Ｂの周囲を、底プレート１２と、両側の側面プレート１３と、上面プレート１４とで囲んで内部に閉塞された収納スペース１６を設けている。さらに、外装ケース１は、底プレート１２の両側縁と表面プレート１１との境界に沿って表面プレート１１の表面から外側に突出する突出リブ１５を設けている。電源ユニットは、両側縁に突出リブ１５を設けてなる底プレート１２を底面として、外装ケース１を自立できるようにしている。
【０００８】
以上の電源ユニットは、接続するマイクロコンピュータなどの電気機器の使用位置を変更することなく、内蔵する電池の容量を大きくして接続する電気機器の電池による使用時間を長くしても邪魔にならならない状態で便利に使用でき、しかも安定して垂直姿勢に立てて使用できる特徴がある。とくに、以上の電源ユニットは、両側縁に突出リブを設けている底プレートを底面として外装ケースを垂直姿勢に自立させるので、両側縁の突出リブによって横幅（Ｗ）が広くなってより安定に自立できる特徴が実現される。
さらに、以上の電源ユニットは、外装ケースが、底プレートの両側縁と表面プレートとの境界に沿って表面プレートの表面から外側に突出する突出リブを備えているので、誤って落下させた場合においても、この突出リブで衝撃を吸収して、より強固に保護できる。
【０００９】
本発明の電源ユニットは、突出リブ１５をエラストマーとすることができる。
以上の電源ユニットは、突出リブを弾性変形するエラストマーとするので、より安定して垂直姿勢に立てて便利に使用できる特徴がある。また、弾性変形する突出リブは、衝撃に対するクッション性を高めることができるので、落下時における衝撃をより効果的に吸収して保護できる。
【００１０】
本発明の電源ユニットは、底プレート１２の両側縁に加えて、側面プレート１３の両側縁にも突出リブ１５を設けて、表面プレート１１と上面プレート１４の表面であって、突出リブ１５の内側に表面シート９を接着することができる。
以上の電源ユニットは、表面シートの外周を突出リブで保護することで、表面シートを剥離しないように、また綺麗に外装ケースの表面に接着できる特徴がある。また、側面プレートの両側縁にも突出リブを設けることで、落下時に衝撃を吸収する突出リブをより広い範囲に設けて、あらゆる角度からの落下に対しても効果的に保護できる。
【００１１】
本発明の電源ユニットは、底プレート１２の両側縁に設けてなる突出リブ１５を、底プレート１２の底面から下方に突出させることができる。
以上の電源ユニットは、底プレートの表面から突出する突出リブでもって、より安定して垂直姿勢に立てて使用できる。それは、底プレートの両側を、実質的に横幅（Ｗ）を広くする両側の突出リブで支持して垂直姿勢に立てて使用できるからである。
【００１２】
本発明の電源ユニットは、側面プレート１３を下方に向かって横幅（Ｗ）を広くするテーパー状として、外装ケース１を下方に向かって厚くなる箱形とすることができる。
以上の電源ユニットは、より安定して垂直姿勢に自立できる特徴がある。それは、外装ケースが下方に向かって厚くなるからである。
【００１３】
本発明の電源ユニットは、上面プレート１４を湾曲面１４Ａとすることができる。
【００１４】
本発明の電源ユニットは、電池２を外装ケース１の下部に収納して、外装ケース１の上部に回路基板５を収納することができる。
以上の電源ユニットは、内蔵する電池によって、より安定して垂直姿勢に自立できる特徴がある。それは、重い電池を外装ケースの底部に配置して、軽い回路基板を上部に配置することで、全体の重心位置を低くできるからである。
また、この電源ユニットは、重い電池を配置する外装ケースの底部において、底プレートの両側縁と表面プレートとの境界に沿って突出リブを設けているので、誤って落下させた場合においても、重い電池が配置された底部を、突出リブによって確実かつ強固に保護できる。
【００１５】
本発明の電源ユニットは、外装ケース１の表面プレート１１と底プレート１２と側面プレート１３と上面プレート１４とからなるケース本体１０を第１のプラスチックで成形して、突出リブ１５を第１のプラスチックと異なる第２のプラスチックで成形し、さらに、表面プレート１１の表面には、第１のプラスチックと第２のプラスチックを成形するためのピンゲート１７を設けて、表面プレート１１の表面に表面シート９を付着して、表面シート９でピンゲート跡の表面を被覆することができる。
以上の電源ユニットは、ケース本体と突出リブとを異なるプラスチックで成形するので、ケース本体と突出リブとを最適なプラスチックで成形でき、しかも表面プレートにピンゲートを設けることで、ケース本体と突出リブとをピンゲートから射出成形するプラスチックで安定して成形でき、しかも、表面プレートの表面に露出するピンゲートを表面シートで被覆して外観を綺麗に仕上げることができる。
【図面の簡単な説明】
【００１６】
【図１】従来の電源ユニットの使用状態を示す斜視図である。
【図２】本発明の一実施例にかかる電源ユニットの斜視図である。
【図３】図２に示す電源ユニットの底面斜視図である。
【図４】図２に示す電源ユニットの外装ケースの分解斜視図である。
【図５】図２に示す電源ユニットの分解斜視図である。
【図６】図５に示す電源ユニットを背面から見た分解斜視図である。
【図７】図２に示す電源ユニットの垂直横断面図である。
【図８】本発明の一実施例にかかる電源ユニットのブロック図である。
【発明を実施するための形態】
【００１７】
以下、本発明の実施例を図面に基づいて説明する。ただし、以下に示す実施例は、本発明の技術思想を具体化するための電源ユニットを例示するものであって、本発明は電源ユニットを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図８に示す電源ユニットは、箱形の外装ケース１と、この外装ケース１に収納している充電できる電池２と、この電池２の電力を外部に出力する外装ケース１に設けている出力端子３と、電池２を充電する充電回路６とを備えている。以上の電源ユニットは、ＡＣアダプタに代わって、ラップトップ型のマイクロコンピュータに接続されて電力を供給するのに使用される。
【００１９】
以上の電源ユニットは、外装ケース１に固定している出力端子３にコネクタ３１を接続し、コネクタ３１に接続しているリード線３２を介してマイクロコンピュータの電源端子（図示せず）に接続される。以上の電源ユニットは、たとえば、電池２の容量を３０Ｗｈ〜１００Ｗｈとする。この電源ユニットは、たとえばマイクロコンピュータを数時間ないし２０時間動作状態と電力を供給する。
【００２０】
電源ユニットは、外装ケース１に回路基板５を内蔵している。回路基板５は、電池２の電圧を一定の電圧に安定して出力するために、電池２の出力側に接続しているＤＣ／ＤＣコンバータ７を実装している。ＤＣ／ＤＣコンバータ７は、図８に示すように、出力側を出力端子３に接続している。ＤＣ／ＤＣコンバータ７は、電池２が完全に放電され、あるいはあらかじめ設定している電圧や残容量まで電池２の出力電圧を安定化して出力し、電池２の電圧が設定電圧まで低下し、あるいは残容量が設定値まで低下すると、動作を停止して、電池２の放電を停止する。
【００２１】
さらに、電源ユニットは、電池２を充電するための充電回路６を回路基板５に実装している。充電回路６は、図８に示すように、外装ケース１に固定している充電端子４に入力側を接続している。この充電端子４にはＡＣアダプタ４０が接続される。このＡＣアダプタ４０には、マイクロコンピュータに電力を供給するＡＣアダプタを併用する。したがって、電源ユニットの充電端子４はマイクロコンピュータの電源端子と同じ形状として、ＡＣアダプタ４０の接続端子４１をマイクロコンピュータと電源ユニットの両方に接続できるようにしている。この電源ユニットは、マイクロコンピュータに電力を供給するＡＣアダプタ４０を併用することで、専用の電源回路を必要としない。
【００２２】
充電回路６は、ＡＣアダプタ４０から入力される直流電力で電池２を充電する。電池２をリチウムイオン電池やリチウムポリマー電池とする電源ユニットは、充電回路６に、定電圧・定電流特性のＤＣ／ＤＣコンバータ６Ａと、電池２の満充電を検出して充電を停止する満充電検出回路６Ｂとを備えている。満充電検出回路６Ｂは、電池２の満充電を検出して電池２の充電を停止する。電池をニッケル水素電池とする電源ユニットは、定電流特性のＤＣ／ＤＣコンバータと満充電検出回路とを備えている。この充電回路も、満充電検出回路で電池の満充電を検出して、電池の充電を停止する。
【００２３】
外装ケース１は、外形を同じ形状の四角形とする第１の表面プレート１１Ａと第２の表面プレート１１Ｂとを対向面に設けて全体の四角形の箱形としている。第１の表面プレート１１Ａと第２の表面プレート１１Ｂは同じ外形であって、同じ大きさとしている。第１の表面プレート１１Ａと第２の表面プレート１１Ｂとの間隔は、各々の表面プレート１１の横幅（Ｄ）及び高さ（ｈ）よりも狭くしている。表面プレート１１の大きさは、電池２の充電容量により最適値に設計されるが、例えば横幅（Ｄ）を１０ｃｍ〜３０ｃｍ、高さ（ｈ）を横幅（Ｄ）の２０％〜８０％としている。さらに、外装ケース１は、四角形である第１の表面プレート１１Ａと第２の表面プレート１１Ｂの周囲を、底プレート１２と、両側の側面プレート１３と、上面プレート１４とで囲んで内部に閉塞された収納スペース１６を設けている。底プレート１２の横幅（Ｗ）は、表面プレート１１の高さ（ｈ）の約３０％としている。ただし、底プレート１２の横幅（Ｗ）は、表面プレート１１の高さ（ｈ）の２０％〜５０％とすることができる。図５と図６に示す外装ケース１は、外径を１８ｍｍとする円筒形電池２を１列に並べて収納できるように横幅（Ｗ）を約２．５ｃｍとしている。
【００２４】
図２ないし図７に示す外装ケース１は、側面プレート１３を、下方に向かって横幅を広くするテーパー状としている。この外装ケース１は、下方に向かって厚くなる箱形となり、収納スペース底部１６Ａの内幅を広くしている。したがって、この外装ケース１は、底プレート１２の横幅（Ｗ）を広くして、収納スペース底部１６Ａの内幅を広くして電池２を収納している。この外装ケース１は、底部に太い電池２を収納して、垂直姿勢に安定して自立できる。さらに、図５ないし図７の外装ケース１は上面プレート１４の両側を湾曲面１４Ａとして、プラスチックでもって表面プレート１１と一体的に成形している。図の外装ケース１は、両側の表面プレート１１に、上面プレート１４の半分を一体的に成形して連結している。
【００２５】
さらに、外装ケース１は、底プレート１２の両側縁と表面プレート１１との境界に沿って表面プレート１１の表面から外側に突出する突出リブ１５を設けており、両側縁に突出リブ１５を設けている底プレート１２を底面として、外装ケース１を垂直姿勢に自立できる形状としている。
【００２６】
図４ないし図７に示す外装ケース１は、底プレート１２の両側縁に加えて、側面プレート１３の両側縁にも突出リブ１５を設けている。さらに、図の外装ケース１は、上面プレート１４と側面プレート１３との境界、すなわち上面プレート１４の両端縁にも突出リブ１５を設けて、上面プレート１４の両端縁の突出リブ１５を、側面プレート１３の両側に設けている突出リブ１５に連続させる形状としている。これ等の図に示す外装ケース１は、底プレート１２の両側縁に設けた突出リブ１５を、側面プレート１３の両側縁の突出リブ１５に連続し、さらに、側面プレート１３の両側縁の突出リブ１５を上面プレート１４の両端縁の突出リブ１５に連続する形状としている。
【００２７】
突出リブ１５は、図７の断面図に示すように、表面プレート１１の表面から外側に突出している。さらに、底プレート１２の両側縁に設けている突出リブ１５は、表面プレート１１の表面から突出すると共に、底プレート１２の底面からも突出している。また、側面プレート１３の両側縁に設けている突出リブ１５は、表面プレート１１の表面から突出し、かつ側面プレート１３の表面からも突出している。さらに、上面プレート１４の両端縁に設けている突出リブ１５は、上面プレート１４から上面に突出し、さらに側面プレート１３の表面側にも突出している。
【００２８】
突出リブ１５は、弾性変形するエラストマーである。突出リブ１５をエラストマーとする電源ユニットは、外装ケース１をより安定して垂直姿勢に自立できる。ただし、突出リブは、必ずしもエラストマーとする必要はなく、常温で可撓性のあるプラストマーや、弾性変形しない硬質のプラスチックとすることもできる。
【００２９】
突出リブ１５は、プラスチック製の外装ケース１を成形する金型でもって、外装ケース１を成形した後に成形されて、外装ケース１に結合される。この突出リブ１５は、確実に剥離しないように外装ケース１に結合できる。この構造の外装ケース１と突出リブ１５は、異なる２種のプラスチックを射出成形して、すなわち２色成形によって成形される。２色成形は、金型を型締めして、突出リブ１５の成形チャンバを設けない成形室に、外装ケース１を成形する第１のプラスチックを溶融状態で注入した後、金型の成形室に、突出リブ１５を成形するチャンバーを設け、突出リブ１５を成形する第２のプラスチックであるエラストマーを注入して突出リブ１５を成形する。以上の突出リブ１５は、外装ケース１を成形する金型で成形して、外装ケース１に結合できる。ただし、外装ケース１を金型で成形した後、脱型して金型から取り出し、この外装ケース１を突出リブ１５を成形する金型に仮止めして、突出リブ１５を成形して、すなわち、インサート成形して、外装ケース１に突出リブ１５を結合することもできる。
【００３０】
外装ケース１と突出リブ１５はプラスチックを成形室に注入して成形されるがプラスチックは、ピンゲート１７（図６参照）から成形室に注入して成形される。図７の外装ケース１は、外装ケース１の表面プレート１１と底プレート１２と側面プレート１３と上面プレート１４とからなるケース本体１０を第１のプラスチックで成形し、突出リブ１５を第１のプラスチックと異なる第２のプラスチックで成形している。図４ないし図７の外装ケース１は、第１の表面プレート１１Ａと底プレート１２と両側の側面プレート１３と上面プレート１４の半分を第１の外装ケース１Ａとして第１のプラスチックで成形して、第１の外装ケース１Ａに突出リブ１５を結合するように成形して設けている。第２の外装ケース１Ｂは、第２の表面プレート１１Ｂと上面プレート１４の半分を結合する形状として、第１の外装ケース１Ａとは別の金型で第１のプラスチックで成形している。図の底プレート１２は、第１の外装ケース１Ａと一体構造に成形しているが、電池を収納するホルダーケースと一体構造に成形することもできる。この外装ケースは、第１の外装ケースに第２の外装ケースとホルダーケースとを連結して組み立てられる。第２の外装ケース１Ｂは、第２の表面プレート１１Ｂに連結ボス１８を一体的に成形して設けている。第１の外装ケース１Ａの表面プレート１１を貫通する止ネジ１９を連結ボス１８にねじ込んで、第１の外装ケース１Ａと第２の外装ケース１Ｂとは連結される。電池２のホルダーケース２０は、第１の外装ケース１Ａと第２の外装ケース１Ｂの内部に設けられる収納スペース１６に嵌着して定位置に固定される。
【００３１】
以上の外装ケース１は、第１の外装ケース１Ａと第２の外装ケース１Ｂとを別々に成形して連結する構造とするが、外装ケースは、第１の外装ケースと第２の外装ケースとを一体構造とする形状に成形することができる。この外装ケースは、底プレートをホルダーケースに一体構造として、ホルダーケースを外装ケースに連結して、内部に収納スペースを設ける形状とする。
【００３２】
さらに、外装ケース１は、表面プレート１１と上面プレート１４の表面に表面シート９を接着している。この表面シート９はプラスチックシートで、内面を接着面として表面プレート１１と上面プレート１４の表面に接着している。図に示す表面シート９は、中間をＵ曲する姿勢として、Ｕ曲部で上面プレート１４の表面を被覆する状態で、両端部を第１の表面プレート１１Ａと第２の表面プレート１１Ｂの表面に接着している。この表面シート９は、外周縁を、底プレート１２の両側縁と、側面プレート１３の両側縁と、上面プレート１４の両端縁とに連続して設けた突出リブ１５の内側に沿って配置している。この構造は、表面シート９の外周縁を突出リブ１５で保護することで、表面シート９を剥離しないようにでき、また、綺麗に外装ケース１の表面に接着できる。さらに、表面プレート１１の表面に表面シート９を付着することで、表面プレート１１の表面に残るピンゲート１７の跡や、止ネジ１９の挿通部及びネジ頭を表面シート９で被覆して外観を綺麗にできる。
【００３３】
外装ケース１は、収納スペース１６の下部に電池２を収納して、上部に回路基板５を収納している。電池２は、図５ないし図７に示すように、ホルダーケース２０に収納されて、外装ケース１の収納スペース１６の定位置に配置される。ホルダーケース２０は、絶縁性のプラスチックでもって、複数の円筒形電池２を互いに平行な姿勢で定位置に挿入する複数列の挿入凹部２１を設ける形状に成形している。ホルダーケース２０は、各々の挿入凹部２１に円筒形電池２を挿入して、電池２を定位置に配置している。図のホルダーケース２０は、複数の円筒形電池２を垂直姿勢で横１列に並べて配置している。ホルダーケース２０は、たとえば、直径を１８ｍｍ、長さを６５０ｍｍとする９本のリチウムイオン電池である円筒形電池２を垂直姿勢で１列に並べて配置している。９本の電池２は３直、３並、すなわち３個を並列に接続して１組とし、これを３組直列に接続して出力電圧を高くしている。これらの電池２は、両端の端面電極を、リード板２５を介して互いに接続している。電池２の端面電極をリード板２５で接続するために、図に示すホルダーケース２０は、挿入凹部２１に挿入される円筒形電池２の両端面に対向する位置に、電池２の端面電極を表出させる電極窓２２を開口している。ホルダーケース２０に収納される複数の円筒形電池２は、電極窓２２から表出する端面電極にリード板２５が接続されて、互いに並列と直列に接続される。
【００３４】
回路基板５は、収納スペース１６の上部に垂直姿勢に配置されて、外装ケース１に固定している。回路基板５は、電池２の電圧を安定化して出力端子３に出力するＤＣ／ＤＣコンバータ７と、ＡＣアダプタ４０から入力される直流で電池２を収納する充電回路６を実現する電子回路を実装している。回路基板５に実装される電池２の電圧を安定化して出力するＤＣ／ＤＣコンバータ７は、外装ケース１に固定している出力端子３に接続され、充電回路６は、充電端子４と電池２とに接続している。
【００３５】
回路基板５に接続している充電端子４を実現するコネクタ２４と、出力端子３を実現するコネクタ２３は、片方の側面プレート１３に固定している。
【００３６】
以上の電源ユニットは、電池２を収納するホルダーケース２０を収納スペース１６の下部に、回路基板５を収納スペース１６の上部に垂直姿勢に配置すると共に、出力端子３をリード線２６を介して、また、充電端子４をリード線２７を介して回路基板５に接続し、第１の外装ケース１Ａと第２の外装ケース１Ｂとを連結し、あるいは外装ケース１にホルダーケース２０を連結して、底プレート１２を連結して、収納スペース１６を閉塞して組み立てられる。
【００３７】
また、以上の電源ユニットは、マイクロコンピュータ用のＡＣアダプタ４０を充電端子４に接続して、外装ケース１に内蔵している電池２を充電する。また、出力端子３をマイクロコンピュータの電源端子に接続することで、マイクロコンピュータに電力を供給する。
【００３８】
マイクロコンピュータの電源用でない電源ユニットは、ＡＣアダプタ４０を接続して電池２を充電し、また電池２を充電する状態で、出力端子３を外部接続機器に接続して、外部接続機器に電力を供給する。
【符号の説明】
【００３９】
１…外装ケース                      １Ａ…第１の外装ケース
１Ｂ…第２の外装ケース
２…電池
３…出力端子
４…充電端子
５…回路基板
６…充電回路                        ６Ａ…ＤＣ／ＤＣコンバータ
６Ｂ…満充電検出回路
７…ＤＣ／ＤＣコンバータ
９…表面シート
１０…ケース本体
１１…表面プレート                  １１Ａ…第１の表面プレート
１１Ｂ…第２の表面プレート
１２…底プレート
１３…側面プレート
１４…上面プレート                  １４Ａ…湾曲面
１５…突出リブ
１６…収納スペース                  １６Ａ…収納スペース底部
１７…ピンゲート
１８…連結ボス
１９…止ネジ
２０…ホルダーケース
２１…挿入凹部
２２…電極窓
２３…コネクタ
２４…コネクタ
２５…リード板
２６…リード線
２７…リード線
２９…
３１…コネクタ
３２…リード線
４０…ＡＣアダプタ
４１…接続端子
９０…電源ユニット
９１…外装ケース
９２…マイクロコンピュータ
【図１】
2013157092.tif 000003
【図２】
2013157092.tif 000004
【図３】
2013157092.tif 000005
【図４】
2013157092.tif 000006
【図５】
2013157092.tif 000007
【図６】
2013157092.tif 000008
【図７】
2013157092.tif 000009
【図８】
2013157092.tif 000010